(57)【特許請求の範囲】
【請求項１】
円筒状ドラムの端部に設けられ、かつ円筒状ドラムを貫通する中心軸を介して支持される電子写真感光体用フランジであって、
前記フランジは溝を有する中心軸に接触するアース板を有し、 かつ当該溝の底部と中心軸表面を結ぶ溝部の側面と、溝の底部とのなす角が、９５度以上１６０度以下であって、当該アース板は、中心軸との接触部において屈曲部を有しており、当該屈曲部がＲ０．２ミリ以上であり、かつ屈曲部の屈曲角が９０度から１５０度の角度であることを特徴とする電子写真感光体用フランジを円筒状ドラムの少なくとも一端に用いることを特徴とする電子写真感光体。
【請求項２】
中心軸の溝の溝幅が１ｍｍ以上３ｍｍ以下であり、かつ溝の深さが０．５ｍｍ以上１．５ｍｍ以下であることを特徴とする請求項１に記載の電子写真感光体。
【請求項３】
中心軸の中心軸表面と溝の側面の交わる付近が、Ｃ面処理または、Ｒ処理されていることを特徴とする請求項１または２に記載の電子写真感光体。
【発明の詳細な説明】
【０００１】
【発明の属する技術分野】
本発明は、電子写真感光体に関する。より詳しくは、特殊形状のアース板や中心軸を用いた電子写真感光体の機械的構造に関する。
【０００２】
【従来の技術】
複写機、プリンター、ファクシミリ等の電子写真式機器には、電子写真感光体が使用されている。そして、この電子写真感光体としては、外周面に感光塗膜が形成された円筒状ドラムの両端にフランジを装着して成るドラム式の電子写真感光体が一般に知られている。
【０００３】
電子写真感光体は、感光体と導通をとるためアース板を設けることが知られており、例えば、特開平１１−２５８９５１号公報には、アース板と中心軸との接点に溝を設けて接点面積を増やすという技術が開示されている。
【０００４】
【発明が解決しようとする課題】
しかし、アース板の強度が充分でないために、電子写真感光体から中心軸を出し入れするときに、アース板（図３の６）が、中心軸の溝（図５）にかかったまま中心軸が出し入れされる場合があり、アース板に無理な力がかかるためアース板が変形してしまうという問題点があった。
【０００５】
【課題を解決するための手段】
本発明は、上記課題を解決すべく鋭意検討された結果なされたもので、特殊形状のアース板を用いた電子写真感光体用フランジや特殊形状の中心軸を用いた電子写真感光体によれば上記課題が解決できることを見出したものである。
すなわち、本発明の要旨は、円筒状ドラムの端部に設けられ、かつ円筒状ドラムを貫通する中心軸を介して支持される電子写真感光体用フランジであって、前記フランジは溝を有する中心軸に接触するアース板を有し、かつ当該溝の底部と中心軸表面を結ぶ溝部の側面と、溝の底部とのなす角が、９５度以上１６０度以下であって、当該アース板は、中心軸との接触部において屈曲部を有しており、当該屈曲部がＲ０．２ミリ以上であり、かつ屈曲部の屈曲角が９０度から１５０度の角度であることを特徴とする電子写真感光体用フランジを円筒状ドラムの少なくとも一端に用いることを特徴とする電子写真感光体に存する。アース板がこのような形状をとれば、充分な強度、弾性を得ることが可能となる。また、中心軸に溝を有する電子写真感光体の場合には、中心軸を出し入れする際に、アース板が当該溝に引っかかることを有効に防止できるため特に好ましい。
【０００６】
上記フランジは、電子写真感光体に有効に用いることが可能となる。本発明は、中心軸の溝が溝幅が１ｍｍ以上３ｍｍ以下であり、溝の深さが０．５ｍｍ以上１．５ｍｍ以下である電子写真感光体の場合に特に好適に用いられる。中心軸の溝がこの様な形状であれば、上記アース板と中心軸との接点を確保することが可能となり好適にアースをとることが可能となるのである。また、本発明は、中心軸の底部と中心軸表面を結ぶ溝部の側面と当該溝の底部とのなす角が、９５度以上１６０度以下である電子写真感光体に好適に用いられる。このように、溝部の側面と当該溝の底部とのなす角が鈍角であれば、電子写真感光体から中心軸を出し入れする際にも比較的スムーズにアース板が溝を通過するのである。本発明は、中心軸の中心軸表面と溝の側面の交わる付近が、Ｃ面処理または、Ｒ処理されている電子写真感光体に好適に用いられる。中心軸にこのような処理を施すことで、電子写真感光体から中心軸を出し入れする際に、スムーズにアース板が溝を通過するのである。
【０００７】
【発明の実施の形態】
以下、図面を参照して本発明に係る電子写真感光体の各実施形態を説明する。図１は第１実施形態の全体構造を示す断面図、図２は第１実施形態の要部であるアース板先端部を表す図、図３は従来のアース板先端部を表す図、図４は本発明の実施形態の要部である中心軸の溝部の一形態を表す図、図５は本発明の別の実施形態の要部である中心軸の溝部の一形態を表す図、図６は従来例における中心軸の溝部を表す図である。
【０００８】
本発明の電子写真感光体は、図１に示す様に、円筒状ドラム１の両端に装着された合成樹脂製の各フランジ２、３が中心軸４を介して支持される。中心軸の溝部には、金属製のｅ−リングが圧入される。両フランジ２、３は、中心軸の溝部に圧入されたｅ−リング５により固定されている。また、アース板６が中心軸４と接触することによりアースがとられている。
【０００９】
円筒状ドラム１は、高精度の真円度および円筒度に仕上げられた円筒状基体の表面に感光塗膜が形成されて成り、使用される電子写真式ＯＡ機器に応じ、外径が１５〜１３０ｍｍ程度に、長さが２００〜１１００ｍｍ程度に設定される。本実施形態において、ドラム１の外径は、用途に応じ２０ｍｍから、１００ｍｍ程度に設定されている。
【００１０】
円筒状ドラムの材料としては、アルミニウム、黄銅、ステンレス等の金属材料、または、ポリエチレンテレフタレート、ポリブチレンテレフタレート、ポリプロピレン、ナイロン、ポリスチレン、フエノール樹脂などの高分子材料が挙げられる。また、感光塗膜は、例えば、電荷発生物質、電荷輸送物質、結着剤樹脂および溶剤を混合して調製された公知の塗布液中に円筒状基体を浸漬することによって形成される。
【００１１】
前記電荷発生物質としては、アゾ顔料、ジスアゾ顔料などが挙げられ、電荷輸送物質としては、アントラセン等の多芳香族化合物またはヒドラゾン化合物などが挙げられる。また、結着剤樹脂としては、ポリメタクリル酸エステル類、セルロースエステル類などが挙げられ、溶剤としては、ｎ−ブチルアミン、ジエチルアミン、メチルセルソルブアセテート等が挙げられる。
【００１２】
フランジ２、３は、各部の肉厚が略均一であり、大径筒部２ｂ、３ｂと小径筒部２ａ、３ａ、とが高い同芯度を以て射出成形されている。斯かるフランジ２、３は、大径筒部の外周が円筒状ドラム１の内周に嵌合され、小径筒部２ａ、３ａの内周に中心軸４が嵌合される。
【００１３】
フランジ２、３の成形樹脂としては、入手が容易で安価な汎用エンジニアリング樹脂を使用することが出来る。この場合、使用する樹脂には導電性が付与されているのが好ましい。また、使用する樹脂の線膨張係数は、ドラム１の円筒状基体の線膨張係数に近いこと、すなわち、円筒状基体がアルミニウム製である場合には、線膨張係数がアルミニウムの線膨張係数に近い樹脂を使用するのが好ましい。
【００１４】
中心軸４は、例えば、直径が５〜２０ｍｍ程度、程度に研削仕上されたステンレス鋼から成り、図示省略されたように電子写真感光体を貫通した一本の軸であってもよいし、電子写真式ＯＡ機器側に固定されて同軸上に左右一対配置されてもよい。斯かる中心軸４が小径筒部５Ｂの内周に緊密に嵌合されることにより、ドラム１は電子写真式ＯＡ機器に対しベース部材５を介して回転自在に支持される。中心軸の溝は、アース板と中心軸との接点を確保するため、アース板や電子写真感光体の大きさ等にもよるが、一般には、溝幅が１ｍｍ以上３ｍｍ以下であることが好ましく、より好ましくは、１〜２ｍｍである。また、溝の深さとしては、０．５ｍｍ以上１．５ｍｍ以下が好ましく、０．５ｍｍ以上１ｍｍ以下がより好ましい。中心軸の溝がこの様な形状であれば、上記のことが可能となり好適にアースをとることが可能となる。図４に示すように、中心軸の底部と中心軸表面を結ぶ溝部の側面７ａと当該溝の底部７ｂとのなす角が、鈍角であれば、電子写真感光体から中心軸を出し入れする際にも比較的スムーズにアース板が溝を通過するので好ましい。溝部の側面と当該溝の底部とのなす角は、９５度以上１６０度以下が好ましく、より好ましくは、１００度以上１４５度以下である。図５に示すように、中心軸の中心軸表面と溝の側面の交わる付近は、ある程度丸みを帯びている方が、電子写真感光体から中心軸を出し入れする際に、スムーズにアース板が溝を通過できるため、中心軸の中心軸表面と溝の側面の交わる付近は、Ｃ面処理または、Ｒ処理されていることが望ましい。ここで、Ｃ面処理とは、任意の角部を斜めに削り落とし、テーパーを設ける処理のことを意味し、Ｒ処理とは任意の角部を円弧状に加工する処理のことを意味する。
【００１５】
本発明においてはドラムの両端のフランジのうち少なくとも一方には中心軸に接触するアース板を有する。このアース板によりドラムのアースをとるのである。
アース板の材質としては、ある程度の導電性を有するのもであれば特に限定されるものではないが、例えば、鉄、アルミニウム、銅などがあげられる。これらのうち鉄が柔軟性、剛性等の観点から好ましい。
アース板は、中心軸との接触部において屈曲している。アース板の中心軸との接触部の先端形状としては、図２のようにある程度丸みを帯びている方が、強度・弾性を有し、電子写真感光体から中心軸を出し入れする際にも比較的スムーズにアース板が溝を通過するため望ましく、好ましくは、Ｒ０．２ｍｍ以上であり、より好ましくは、Ｒ０．３ｍｍ以上である。一方、アース板の中心軸との接触部の好ましい丸みは、中心軸の溝の深さや、アース板の形状によっても変化するが、Ｒ５以下が好ましい。
また、図２にように、アース板の中心軸との接触部は、ある程度の角度をもっていた方がアース板の強度を確保でき、しかもスムーズに溝を通過することができるので好ましい。アース板の中心軸との接触部は好ましくは９０度から１５０度、より好ましくは１３０度から１５０度の角度を有することが望ましい。
【００１６】
次に、以上の様に構成された実施形態の電子写真感光体の使用例を説明する。この電子写真感光体は、図１に示す様に中心軸４にフランジ２、３が回転自在に支持され、当該フランジに嵌合されるギヤ部材の外歯（図示せず）が電子写真式ＯＡ機器側の駆動ギヤに噛合うことにより、所定の回転速度で回転駆動される。
【００１７】
【発明の効果】
本発明によれば、アース板を変形することなく電子写真感光体から中心軸を出し入れすることができるという効果がある。
【図面の簡単な説明】
【図１】図１は第１実施形態の全体構造を示す断面図である。
【図２】図２は第１実施形態の要部であるアース板先端部の拡大図である。
【図３】図３は従来のアース板先端部である。
【図４】図４は本発明の実施形態の要部である中心軸の溝部の一形態を表す図である。
【図５】図５は本発明の別の実施形態の要部である中心軸の溝部の一形態を表す図である。
【図６】図６は従来例における中心軸の溝部を表す図である。
【符号の説明】
１    円筒状ドラム
２    フランジ
２ａ    小径筒部
２ｂ    大径筒部
３    フランジ
３ａ    小径筒部
３ｂ    大径筒部
４    中心軸
５    ｅ−リング
６    アース板
７    中心軸の溝部
７ａ    溝部側面
７ｂ    溝部底面
【図１】
0003885451.tif 000002
【図２】
0003885451.tif 000003
【図３】
0003885451.tif 000004
【図４】
0003885451.tif 000005
【図５】
0003885451.tif 000006
【図６】
0003885451.tif 000007